(57)【要約】【課題】離脱時にスチームスイッチの誤操作によるスタンド上でのスチームの噴出を防止する。【解決手段】アイロン１は、スチーム噴出孔７を有する加熱部３と、加熱部３の上方に設けられた筐体９と、筐体９に設けられたグリップ１０と、グリップ１０にスチームスイッチ４１を有し、スタンド１３は、アイロン１の載置部１４への載置と離脱を検知する載置検知部１６を有し、スタンド１３内に設けられたスチーム発生装置２３に設けられたスチームバルブ２５は、スチームスイッチ４１の操作に応じて開閉し、載置部１４に載置されたアイロン１を載置部１４から離脱させる前にスチームスイッチ４１が操作されると、アイロン１の離脱を検知するまでスチームバルブ２５が閉じられた状態に維持するようにしたものである。【選択図】図３
2015058175.tif 000002
【特許請求の範囲】
【請求項１】
アイロンと、前記アイロンを載置する載置部を有するスタンドと、前記スタンド内に設けられたスチーム発生装置と、前記スタンドから前記アイロンにスチームを供給するスチーム供給部とを備え、前記アイロンは、スチーム噴出孔を有する加熱部と、前記加熱部の上方に設けられた筐体と、前記筐体に設けられたグリップと、前記グリップに設けられたスチームスイッチとを有し、前記スタンドは、前記アイロンの前記載置部への載置と離脱を検知する載置検知部を有し、前記スチーム発生装置は、スチームを発生させる気化室と、スチーム発生用の水を貯留する水タンクと、前記アイロンへのスチームの供給を制御するスチームバルブとを有し、前記スチームバルブは、前記スチームスイッチの操作に応じて開閉し、前記載置部に載置された前記アイロンを前記載置部から離脱させる前に前記スチームスイッチが操作されると、前記アイロンの離脱を検知するまで前記スチームバルブが閉じられた状態に維持するアイロン装置。
【請求項２】
前記載置検知部は、前記載置部に操作部を突出させた操作棒と、前記操作棒の変位に応じて動作するスイッチを有し、前記スイッチの動作に応じて前記スチームバルブを開閉する請求項１記載のアイロン装置。
【請求項３】
前記載置部は、前記載置検知部の位置に合わせて変形可能な可撓性の水封部を有する請求項１または２記載のアイロン装置。
【請求項４】
前記スチームバルブを制御する制御部と、前記スチームバルブが開くタイミングを遅らせるタイマを有し、前記制御部は、前記アイロンを前記載置部から離脱させる前に前記スチームスイッチが操作されると、前記アイロンの離脱を検知してから所定時間後に前記スチームバルブを開くようにした請求項１〜３のいずれか１項に記載のアイロン装置。
【発明の詳細な説明】
【技術分野】
【０００１】
本発明は、スチームを発生させて衣類等の繊維製品のしわ伸ばしに用いられるアイロン装置に関する。
【背景技術】
【０００２】
従来、この種のアイロン装置は、アイロンとスタンドを備える。そして、衣類のしわを伸ばすときはアイロンをスタンドから取り外して行われ、衣類の形を整えるときはアイロンをスタンドに載置して行われる。アイロンがけ作業は、アイロンをスタンドに載置する動作と、アイロンをスタンドから離脱する動作が繰り返し行われる。アイロン装置は、アイロンでスチームを発生させるタイプと、スタンドに備えられたスチーム発生装置で発生させたスチームをアイロンへ供給するタイプがある。
【０００３】
アイロンでスチームを発生させるタイプのアイロン装置は、アイロンにスチーム発生用の気化室と、気化室へ供給するスチーム発生用の水を貯留する水タンクと、スチームの噴出と停止を切り替える操作部が設けられている。アイロンでスチームを発生させるタイプのアイロン装置は、アイロンがけの作業中にスチームの噴出と停止を切り替えることが可能である。しかし、気化室で発生するスチームの量が少ないため、しわ伸ばしの効果を高めるために、操作部をスチームが噴出する状態に保持して行われるのが一般的である。そのため、アイロンをスタンドに載置しても、スチームが噴出した状態のままである。
【０００４】
そこで、アイロンをスタンドに載置する度にスチームの噴出を停止させるとともに、その都度スチームの噴出を停止させる手動操作の必要がないように、アイロンのスタンドへの載置に応動して弁装置を動作させることが考えられている（例えば、特許文献１参照）。特許文献１に記載された従来のアイロン装置は、タンク内の水を気化室へ供給する導水路に弁装置を有し、スタンドへのアイロンの載置に応動して弁装置を開閉動作させる。すなわち、載置時は、弁装置を閉じてスチームの噴出を停止し、離脱時は、弁装置を開いてスチームの噴出を行う。
【０００５】
また、アイロンがスタンドに載置されたことを検知する載置検知手段を設けることが考えられている（例えば、特許文献２参照）。特許文献２に記載された従来のコードレスアイロンは、スタンドからアイロン本体が取外されて電源コードが接続されていない状態でアイロンがけが行われ、スタンドへの載置時にアイロン本体に通電されて加熱される。コードレスアイロンは、載置検知手段により、アイロン本体がスタンドに載置されたことを検知すると、ヒータ回路に設けられた開閉器を閉じてヒータへ通電する。そして、アイロン本体がスタンドから離脱されたときは、開閉器を開いてヒータへの通電を停止する。
【０００６】
また、スチーム発生装置で発生させたスチームをアイロンへ供給するタイプのアイロン装置は、アイロンへ多量のスチームを供給することが可能である。そのため、スチームを噴出させる状態に保持したままでアイロンがけが行われることはなく、アイロンがけ作業中に必要の都度、手動で操作するスチームスイッチによりスチームを噴出させる操作が頻繁に行われる。そのため、アイロンがスタンドに載置されると、スチームが噴出した状態のままにはならない。そこで、アイロンがけ作業中にアイロンがスタンドに載置されると、スチームの噴出を停止させるとともに、アイロンへの通電を遮断するようにしたアイロン装置が考えられている（例えば、特許文献３参照）。
【先行技術文献】
【特許文献】
【０００７】
【特許文献１】特開平０３―０７７５８９号公報
【特許文献２】特開平０１―１５３１９４号公報
【特許文献３】中国特許出願公開第１０２８０８３１２号明細書
【発明の概要】
【発明が解決しようとする課題】
【０００８】
一般的にアイロンは、衣類を加圧することによるしわ伸ばし効果を高めるために、金属製の加熱部を有し重量が重い。また、手に持って使用するものであるため、容易に取り扱えるように筐体は小さく構成される。
【０００９】
また、スチーム発生装置で発生させたスチームをアイロンへ供給するタイプのアイロン装置は、上記したように、スチームの噴出と停止を手動で操作するスチームスイッチを有する。スチームスイッチは、操作したときだけ瞬時、または、短時間スチームを噴出させることができるものがあり、アイロンがけ作業の状況に応じて使用者が加減することができる。また、一度の操作でスチームが予め設定されている時間（例えば、１秒程度）だけ噴出し、停止の操作を不要にするものがある。スチームスイッチは、アイロンがけ作業中の頻繁な操作が容易に行えるように、筐体のグリップの近くに設けられる。スチームスイッチは、グリップを持ち替えることなく、グリップを把持した状態において指先で操作できるように、グリップの前部に設けられている。
【００１０】
しかしながら、アイロンをスタンドから離脱するときは、重いアイロンを持ち上げるためにグリップが強く把持される。そのため、スタンドに載置されているアイロンを取り外す際に、指先がスチームスイッチに触れやすく、離脱時に誤操作が生じやすいという問題があった。アイロンがスタンドに載置されている状態でスチームスイッチが誤って操作されると、載置部上でスチームが噴出し、アイロンから噴出したスチームが載置部と加熱部の隙間から水平方向へ拡散されるとともに、噴出したスチームが載置部で結露するという課題があった。
【００１１】
本発明は、前記従来の課題を解決するもので、離脱時の誤操作によるスタンド上でのスチームの噴出を防止できるようにしたアイロン装置を提供することを目的とする。
【課題を解決するための手段】
【００１２】
前記従来の課題を解決するために、本発明のアイロン装置は、アイロンと、前記アイロンを載置する載置部を有するスタンドと、前記スタンド内に設けられたスチーム発生装置と、前記スタンドから前記アイロンにスチームを供給するスチーム供給部とを備え、前記アイロンは、スチーム噴出孔を有する加熱部と、前記加熱部の上方に設けられた筐体と、前記筐体に設けられたグリップと、前記グリップに設けられたスチームスイッチとを有し、前記スタンドは、前記アイロンの前記載置部への載置と離脱を検知する載置検知部を有し、前記スチーム発生装置は、スチームを発生させる気化室と、スチーム発生用の水を貯留する水タンクと、前記アイロンへのスチームの供給を制御するスチームバルブとを有し、前記スチームバルブは、前記スチームスイッチの操作に応じて開閉し、前記載置部に載置された前記アイロンを前記載置部から離脱させる前に前記スチームスイッチが操作されると、前記アイロンの離脱を検知するまで前記スチームバルブが閉じられた状態に維持するものである。
【００１３】
これによって、アイロンをスタンドから離脱するときに、誤ってスチームスイッチが操作された場合でも、スタンド上でのスチームの噴出を防止することができる。
【発明の効果】
【００１４】
本発明のアイロン装置は、アイロンをスタンドから離脱するときに、誤ってスチームス
イッチが操作された場合でも、スタンド上でのスチームの噴出を防止することができる。
【図面の簡単な説明】
【００１５】
【図１】本発明の実施の形態１におけるアイロン装置の外観斜視図
【図２】本実施の形態におけるアイロン装置のアイロンの一部切欠側面図
【図３】本実施の形態におけるアイロン装置の要部断面図
【図４】本実施の形態におけるアイロン装置の一部切欠要部断面図
【図５】本実施の形態におけるアイロン装置の連結部の断面図
【図６】本実施の形態におけるアイロン装置のブロック図
【図７】（ａ）（ｂ）本実施の形態におけるアイロン装置の動作を示すタイムチャート
【図８】本発明の実施の形態２におけるアイロン装置のブロック図
【図９】本実施の形態におけるアイロン装置の動作を示すタイムチャート
【発明を実施するための形態】
【００１６】
第１の発明のアイロン装置は、アイロンと、前記アイロンを載置する載置部を有するスタンドと、前記スタンド内に設けられたスチーム発生装置と、前記スタンドから前記アイロンにスチームを供給するスチーム供給部とを備え、前記アイロンは、スチーム噴出孔を有する加熱部と、前記加熱部の上方に設けられた筐体と、前記筐体に設けられたグリップと、前記グリップに設けられたスチームスイッチとを有し、前記スタンドは、前記アイロンの前記載置部への載置と離脱を検知する載置検知部を有し、前記スチーム発生装置は、スチームを発生させる気化室と、スチーム発生用の水を貯留する水タンクと、前記アイロンへのスチームの供給を制御するスチームバルブとを有し、前記スチームバルブは、前記スチームスイッチの操作に応じて開閉し、前記載置部に載置された前記アイロンを前記載置部から離脱させる前に前記スチームスイッチが操作されると、前記アイロンの離脱を検知するまで前記スチームバルブが閉じられた状態に維持するものである。これにより、アイロンをスタンドから取り外すときに、誤ってスチームスイッチが操作された場合でも、スタンド上でスチームが噴出するのを防止することができる。
【００１７】
第２の発明は、特に、第１の発明において、前記載置検知部は、前記載置部に操作部を突出させた操作棒と、前記操作棒の変位に応じて動作するスイッチを有し、前記スイッチの動作に応じて前記スチームバルブを開閉するものである。これにより、アイロンの載置部への載置と離脱に応じてスチームバルブを開閉することができるようになり、アイロンが載置部に載置された状態でスチームスイッチが操作された場合でも、スタンド上でのスチームの噴出を防止することができる。
【００１８】
第３の発明は、特に、第１または第２の発明において、前記載置部は、前記載置検知部の位置に合わせて変形可能な可撓性の水封部を有するものである。これにより、載置検知部を水密構造に構成することができ、スタンド内への水の浸入を防止することができる。
【００１９】
第４の発明は、特に、第１〜第３のいずれか１つの発明において、前記スチームバルブを制御する制御部と、前記スチームバルブが開くタイミングを遅らせるタイマを有し、前記制御部は、前記アイロンを前記載置部から離脱させる前に前記スチームスイッチが操作されると、前記アイロンの離脱を検知してから所定時間後に前記スチームバルブを開くようにしたものである。これにより、アイロンをスタンドから取り外すときに、誤ってスチームスイッチが操作された場合でも、スタンド上でのスチームの噴出を防止することができる。
【００２０】
以下、本発明の実施の形態について、図面を参照しながら説明する。なお、この実施の形態によって本発明が限定されるものではない。
【００２１】
（実施の形態１）
図１は、本発明の実施の形態１におけるアイロン装置の外観斜視図である。図２は、本実施の形態におけるアイロン装置のアイロンの一部切欠側面図である。図３は、本実施の形態におけるアイロン装置の要部断面図である。図４は、本実施の形態におけるアイロン装置の一部切欠要部断面図である。
【００２２】
図１〜図４に示すように、アイロン１は、ヒータ２によって加熱される加熱部３を有している。加熱部３は、良熱伝導性のアルミニウムで成型され、下面に衣類等をプレスするかけ面４を形成している。かけ面４の表面は、硬質で滑りのよい加工が施されている。かけ面４の前部４ａと後部４ｂは尖り形状に形成され、衣類上を移動させるときに前進と後退がスムースに行えるようになっている。
【００２３】
加熱部３の上面側に蓋５でシールされたスチーム室６が形成されている。かけ面４には、スチーム室６から通じる多数のスチーム噴出孔７が設けられている。加熱部３の上面側は、そのほぼ全域を断熱部８で覆われている。断熱部８は、耐熱性の樹脂（例えば、ポリブチレンテレフタレート）の成型品で構成されている。筐体９は、断熱部８の上方に配設されている。筐体９は、樹脂（例えば、ポリプロピレン）の成型品で構成され、筐体９の上部に前後方向に延びるグリップ１０を一体に形成している。
【００２４】
サーモスタット１１は、アイロン１のヒータ回路を制御し、加熱部３の温度を、例えば８０℃〜２００℃に調節する。加熱部３の温度を設定する温度調節部１２はサーモスタット１１に連結され、グリップ１０の下方に回動可能に設けられている。
【００２５】
スタンド１３は、上面にアイロン１を載置する載置部１４が設けられている。載置部１４は、前上がりに傾斜（例えば２０度）しており、加熱部３のかけ面４を下向きにしてアイロン１が載置される。傾斜した載置部１４は、アイロン１の載置時に後方への移動を容易にし、載置部１４の後部に設けられたガイド部１５に沿って所定の位置に載置することができる。
【００２６】
運搬用のハンドル４４が、スタンド１３に回動自在に設けられている。ハンドル４４は、持ち運び時に載置部１４に載置されたアイロン１の筐体９の上方に位置し、筐体９の長手方向に沿って形成されている。アイロン１が使用される時には、スタンド１３の側方へ回動して邪魔にならない。
【００２７】
載置検知部１６は、かけ面４に対向してスタンド１３に設けられている。載置検知部１６は、載置部１４へのアイロン１の載置と、載置部１４からのアイロン１の離脱を検知する。載置検知部１６は、載置部１４の上面に先端の検知部１７を突出させた操作棒１８と、操作棒１８の上下方向の変位に応じて動作するスイッチ１９が設けられている。
【００２８】
操作棒１８は、ばね２０によって載置部１４側へ付勢され、検知部１７が載置部１４の上面から所定量突出するように設定されている。載置部１４上にアイロン１が載置されると、かけ面４によって検知部１７が後述する水封部２２を介して押圧され、ばね２０の付勢力に抗して操作棒１８が下方へ押し下げられる。スイッチ１９は、操作棒１８の近傍に設けられており、リミットスイッチで構成されている。操作棒１８に設けられた操作部２１が上下動することでスイッチ１９をオンオフし、アイロン１の載置と離脱を検知する。
【００２９】
載置部１４は、載置検知部１６の位置に合わせて、突出した操作棒１８を覆うように変形可能な可撓性の水封部２２を有している。水封部２２は、耐熱性のシリコンゴム等で形成され、スタンド１３内への水の浸入を防止している。
【００３０】
スチーム発生装置２３は、スタンド１３内に設けられている。スチーム発生装置２３は、加熱ヒータ２９を有してアイロン１に供給するスチームを発生させる気化室２４と、発生したスチームのアイロン１への供給と停止を行う電磁式のスチームバルブ２５と、スチーム発生用の水を貯留する水タンク２６と、水タンク２６内の水を気化室２４へ供給する給水ポンプ２７を有している。水タンク２６と給水ポンプ２７と気化室２４は、送水パイプ２８で連通接続している。加熱ヒータ２９は、気化室２４の底部に取り付けられている。
【００３１】
気化室２４は、給水ポンプ２７によって気化室２４へ供給された水量を検知する水位検知部３０と、気化室２４の温度を検知する温度検知部３１を有している。水位検知部３０は、気化室２４内の下方へ向かって上部から突出させた電極を有し、気化室２４への送水により上昇する水位と、スチームの発生にともない低下する水位を検知する。温度検知部３１は、例えばサーミスタ等で構成され、気化室２４の外壁に取り付けられている。温度検知部３１は、気化室２４内で発生したスチームの温度を気化室２４の壁を通して精度よく感知するために、気化室２４内の水面より上方のスチームが充満する部分に設けられている。
【００３２】
気化室２４内で発生するスチームは、所定の圧力（例えば５気圧）に高められる。スチーム発生装置２３には、気化室２４内の圧力の過昇を防止する圧力弁３２が設けられている。圧力弁３２は、気化室２４内の圧力が予め設定された閾値を超えると、スチームを気化室２４の外へ放出して所定の圧力を維持する。排水口３３は、気化室２４の底部に設けられている。排水口３３は、ねじ込み式で取外し可能な排水栓３４で閉じられている。使用者は、排水栓３４を外すことにより気化室２４内の水を排水することができる。
【００３３】
水タンク２６は、スタンド１３の前部に形成された空間に配設されている。水タンク２６が配設されている空間は、前上がりに傾斜した載置部１４の下方に形成されており、水タンク２６にアイロンがけにおける十分な貯水量を確保することが可能である。水タンク２６は上方前部に注水口３５を有し、スタンド１３に対して取外し可能に装着されている。水タンク２６は、水タンク２６内の底部にその開口部を位置させた吸水パイプ３６を有する。吸水パイプ３６は、水タンク２６がスタンド１３へ装着される時に、送水パイプ２８に接続される。
【００３４】
水タンク２６内の水は、給水ポンプ２７によって気化室２４へ供給される。給水ポンプ２７が動作すると、水タンク２６内の水は吸水パイプ３６を通して給水ポンプ２７に吸い込まれ、送水パイプ２８を通って気化室２４内に流入する。給水ポンプ２７は、制御部３７に入力される水位検知部３０の出力によって制御される。
【００３５】
図５は、本実施の形態におけるアイロン装置の連結部の断面図である。アイロン１とスタンド１３は、屈曲自在の連結部３８で連結されている。連結部３８は、アイロン１を載置部１４から取り外してアイロンがけを行う際に、アイロン台の上に広げられた衣類のしわ伸ばしに必要かつ十分な長さ（例えば、１．５ｍ）を有している。そして、図５に示すように、スチームが通るスチーム供給部３９は、断熱構造で連結部３８に内蔵されている。スチーム供給部３９は、耐熱性を有する可撓性のホースで構成され、アイロン１のスチーム導入部４０と気化室２４を連通接続している。連結部３８内には、アイロン１のヒータ回路に接続されている電源電線４２と、スチームスイッチ４１と制御部３７を接続している接続線４３が、スチーム供給部３９とともに一体に設けられている。
【００３６】
スタンド１３に設けられた制御部３７は、熱や水の影響を受けないように配設される。図６は、本実施の形態におけるアイロン装置のブロック図である。制御部３７は、載置検
知部１６、水位検知部３０、温度検知部３１等からの入力に基づき、スチームバルブ２５、給水ポンプ２７、加熱ヒータ２９等を制御する。
【００３７】
アイロン１のスチームスイッチ４１は、グリップ１０の前部下面に設けられている。スチームスイッチ４１は、リミットスイッチで構成され、オンオフ操作によってスチームバルブ２５を開閉し、スチーム供給部３９を通してアイロン１へのスチームの供給と停止を行うことができる。スチームスイッチ４１は、グリップ１０の前部下面に配設されることにより、使用者は、グリップ１０を持ち替えることなく、グリップ１０を把持した状態において指先でスチームスイッチ４１を容易に操作できる。
【００３８】
以上のように構成されたアイロン装置について、以下その動作、作用を説明する。使用者は、アイロン１をスタンド１３の載置部１４に載置した状態で、スタンド１３から導出されている電源電線４２を商用電源に接続し、温度調節部１２でアイロン１の加熱部３の温度を設定する。サーモスタット１１は、加熱部３の温度を感知してヒータ２の通電を制御し、設定された温度に調節する。スチーム発生装置２３は、加熱ヒータ２９で気化室２４内の水を加熱し、所定の圧力に高められたスチームを気化室２４内に保有する。
【００３９】
アイロン１は、かけ面４を下向きにしてスタンド１３の載置部１４に載置されると、ガイド部１５によって所定の位置に載置される。このとき、載置検知部１６は、アイロン１が載置部１４に載置されたことを検知する。すなわち、載置部１４に突出した載置検知部１６の検知部１７がアイロン１によって押圧されることにより、ばね２０の付勢力に抗して操作棒１８が押し下げられてスイッチ１９がオフとなる。制御部３７は、アイロン１が載置部１４に載置されたことを検知してスチームバルブ２５を閉じる。これで、アイロン１が載置部１４に載置された状態でスチームスイッチ４１が操作されてもスチームバルブ２５は開かれず、スチームは噴出しない。
【００４０】
アイロン１が載置部１４から取り外されると、載置検知部１６がアイロン１の離脱を検知する。すなわち、アイロン１によって押し下げられていた操作棒１８がばね２０の付勢力によって上方へ変位してスイッチ１９がオンとなる。制御部３７は、アイロン１が載置部１４から取り外されたことを検知してスチームバルブ２５を開く。これで、スチームスイッチ４１の操作によってスチームを噴出させることができる。
【００４１】
図７（ａ）は、本実施の形態におけるアイロン装置の通常時の動作を示すタイムチャート、（ｂ）は、誤操作時の動作を示すタイムチャートである。図７（ａ）に示すように、アイロン１を載置部１４から取り外した状態で（ｔ１）、スチームスイッチ４１をオンするとスチームバルブ２５が開かれる（ｔ２）。これにより、気化室２４内のスチームがスチーム供給部３９を経てアイロン１のスチーム室６に導入され、スチーム噴出孔７から瞬時に噴出する。スチームは、スチームスイッチ４１のオン時のみ噴出し、アイロンがけ中は必要の都度、任意に短時間噴出させることができる。
【００４２】
次に、アイロン１を載置部１４から取り外すときに、誤ってスチームスイッチ４１を操作した場合について説明する。図７（ｂ）に示すように、載置部１４に載置されているアイロン１のグリップ１０を握ったときに誤ってスチームスイッチ４１が操作されたとする（ｔ３）。しかしながら、載置検知部１６の検知部１７がアイロン１によって押し下げられた状態であるため、スチームバルブ２５を閉じた状態に維持される。これにより、気化室２４内のスチームがスチーム供給部３９を通してアイロン１へ供給されることがなく、載置部１４上でスチームが噴出することはない。
【００４３】
そして、スチームスイッチ４１が操作された状態でアイロン１が載置部１４から取り外されると（ｔ４）、載置検知部１６がアイロン１の離脱を検知してスチームバルブ２５が
開かれ、スチームを噴出させることができる。
【００４４】
以上のように、本実施の形態のアイロン装置においては、アイロン１と、アイロン１を載置する載置部１４を有するスタンド１３と、スタンド１３内に設けられたスチーム発生装置２３と、スタンド１３からアイロン１にスチームを供給するスチーム供給部３９とを備える。アイロン１は、スチーム噴出孔７を有する加熱部３と、加熱部３の上方に設けられた筐体９と、筐体９に設けられたグリップ１０と、グリップ１０に設けられたスチームスイッチ４１とを有し、スタンド１３は、アイロン１の載置部１４への載置と離脱を検知する載置検知部１６を有する。スチーム発生装置２３は、スチームを発生させる気化室２４と、スチーム発生用の水を貯留する水タンク２６と、アイロン１へのスチームの供給を制御するスチームバルブ２５とを有する。そして、スチームバルブ２５は、スチームスイッチ４１の操作に応じて開閉し、載置部１４に載置されたアイロン１を載置部１４から離脱させる前にスチームスイッチ４１が操作されると、アイロン１の離脱を検知するまでスチームバルブ２５が閉じられた状態に維持するものである。これにより、アイロン１をスタンド１３から取り外すときに、誤ってスチームスイッチ４１が操作された場合でも、スタンド１３上でスチームが噴出するのを防止することができる。
【００４５】
（実施の形態２）
図８は、本発明の実施の形態２におけるアイロン装置のブロック図である。図９は、本実施の形態におけるアイロン装置の動作を示すタイムチャートである。本実施の形態の特徴は、アイロン１を載置部１４から離脱させる前にスチームスイッチ４１が操作されると、アイロン１の離脱を検知してから所定時間計時後にスチームバルブ２５を開くようにしたものである。他の構成は実施の形態１と同じであり、同一の構成に同一の符号を付して、詳細な説明は実施の形態１のものを援用する。
【００４６】
スチームバルブ２５が開くタイミングを遅らせるタイマ４５が、スチームバルブ２５を制御する制御部３７に設けられている。図９に示すように、制御部３７は、アイロン１を載置部１４から離脱させる前にスチームスイッチ４１が操作されると（ｔ５）、アイロン１の離脱を検知してから（ｔ６）、所定時間Ｔ後にスチームバルブ２５を開く（ｔ７）。所定時間Ｔは、例えば、１〜２秒程度であり、アイロン１を載置部１４からアイロンがけを行う衣類へ移動させたときに、スチームを噴出させることができればよい。
【００４７】
これによって、アイロン１の取外し動作で載置検知部１６がアイロン１の離脱を検知したとき、載置部１４からのアイロン１の移動距離が少なく、まだスタンド１３上近傍にある状態でのスチームの噴出を防止することができる。すなわち、アイロン１をスタンド１３から取り外すときに、誤ってスチームスイッチ４１が操作された場合でも、スタンド１３上でのスチームの噴出を防止することができる。
【００４８】
なお、本実施の形態では、アイロン１の離脱を検知してからスチームバルブ２５が開くタイミングをタイマ４５で遅らせるようにしたが、アイロン１の取外し動作を開始してから離脱を検知するまでの時間を遅延するようにしてもよい。また、他の手段を用いてもよく、例えば、アイロン１がスタンド１３から取り外されたときに、載置検知部１６の操作棒１８がゆっくり戻るような構成でもよい。要は、アイロン１の離脱時に、スチームスイッチ４１が誤操作された場合でもスタンド１３上でのスチームの噴出を防止することができればよい。
【産業上の利用可能性】
【００４９】
以上のように、本発明にかかるアイロン装置は、アイロンをスタンドから離脱するときに、誤ってスチームスイッチが操作された場合でも、スタンド上でスチームが噴出することを防止することができるので、アイロン装置として有用である。
【符号の説明】
【００５０】
１  アイロン
３  加熱部
７  スチーム噴出孔
９  筐体
１０  グリップ
１３  スタンド
１４  載置部
１６  載置検知部
２３  スチーム発生装置
２４  気化室
２５  スチームバルブ
２６  水タンク
３９  スチーム供給部
４１  スチームスイッチ
【図１】
2015058175.tif 000003
【図２】
2015058175.tif 000004
【図３】
2015058175.tif 000005
【図４】
2015058175.tif 000006
【図５】
2015058175.tif 000007
【図６】
2015058175.tif 000008
【図７】
2015058175.tif 000009
【図８】
2015058175.tif 000010
【図９】
2015058175.tif 000011